(57)【要約】【課題】効率よく楽譜情報を入力することができる楽譜情報入力装置及びプログラムを提供することを課題とする。【解決手段】楽譜情報入力装置は、複数の楽譜情報を楽譜情報パレットに表示する楽譜情報パレット表示手段（８０５）と、前記楽譜情報パレットの中の一部の楽譜情報をお気に入りパレットに表示するお気に入りパレット表示手段（８０６）と、前記楽譜情報パレット及び／又は前記お気に入りパレットの楽譜情報を用いて、五線上に楽譜情報を入力する楽譜情報入力手段（８０３）とを有することを特徴とする。【選択図】図８
2014056041.tif 000002
【特許請求の範囲】
【請求項１】
複数の楽譜情報を楽譜情報パレットに表示する楽譜情報パレット表示手段と、
前記楽譜情報パレットの中の一部の楽譜情報をお気に入りパレットに表示するお気に入りパレット表示手段と、
前記楽譜情報パレット及び／又は前記お気に入りパレットの楽譜情報を用いて、五線上に楽譜情報を入力する楽譜情報入力手段と
を有することを特徴とする楽譜情報入力装置。
【請求項２】
さらに、前記楽譜情報パレットの中から楽譜情報を選択し、前記選択した楽譜情報を前記お気に入りパレットに登録する楽譜情報登録手段を有することを特徴とする請求項１記載の楽譜情報入力装置。
【請求項３】
さらに、前記お気に入りパレットの中から楽譜情報を選択し、前記選択した楽譜情報を前記お気に入りパレットから削除する楽譜情報削除手段を有することを特徴とする請求項１又は２記載の楽譜情報入力装置。
【請求項４】
さらに、前記お気に入りパレットの中から選択した楽譜情報を、前記楽譜情報パレットの中から選択した楽譜情報に変更する楽譜情報変更手段を有することを特徴とする請求項１〜３のいずれか１項に記載の楽譜情報入力装置。
【請求項５】
さらに、前記楽譜情報入力手段により入力された楽譜情報を基に演奏を行う演奏手段を有することを特徴とする請求項１〜４のいずれか１項に記載の楽譜情報入力装置。
【請求項６】
複数の楽譜情報を楽譜情報パレットに表示する楽譜情報パレット表示ステップと、
前記楽譜情報パレットの中の一部の楽譜情報をお気に入りパレットに表示するお気に入りパレット表示ステップと、
前記楽譜情報パレット及び／又は前記お気に入りパレットの楽譜情報を用いて、五線上に楽譜情報を入力する楽譜情報入力ステップと
をコンピュータに実行させるためのプログラム。
【発明の詳細な説明】
【技術分野】
【０００１】
本発明は、楽譜情報入力装置及びプログラムに関する。
【背景技術】
【０００２】
表示面上の何れかの位置にカーソルを表示させると共に、表示面上の第１の表示領域には五線を表示させ、第２の表示領域には楽譜を記されるべき各種の記号を表示させる表示制御手段と、カーソルを第２の表示領域に移動して、表示されている各種記号のうち任意の記号を指定すると共に、その組み合わせが音楽的に１つの意味を示す場合には、複数の記号を同時に指定し、さらにカーソルを第１の表示領域に移動して、第１の表示領域の任意の位置を指定する指定手段と、この指定手段にて、第１の表示領域内の任意の位置が指定されると、直前に指定手段が第２の表示領域にて指定した記号を、指定された位置に表示せしめるよう表示制御手段に指示する表示指示手段と、を具備してなる演奏情報入力装置が知られている（例えば、特許文献１参照）。
【先行技術文献】
【特許文献】
【０００３】
【特許文献１】特許第２５１８１９６号公報
【発明の概要】
【発明が解決しようとする課題】
【０００４】
楽譜情報入力装置では、入力可能な楽譜情報の数が非常に多い。入力可能な楽譜情報のすべてを表示装置に表示させることは困難である。また、スクロールボタンを用いて、楽譜情報の表示をスクロール表示させることも考えられる。しかし、所望の楽譜情報が表示装置に表示されていない場合には、スクロールボタンを操作することにより、所望の楽譜情報を表示装置の表示させた後、所望の楽譜情報の入力を指示する必要があり、作業効率が悪くなる。
【０００５】
本発明の目的は、効率よく楽譜情報を入力することができる楽譜情報入力装置及びプログラムを提供することである。
【課題を解決するための手段】
【０００６】
本発明の楽譜情報入力装置は、複数の楽譜情報を楽譜情報パレットに表示する楽譜情報パレット表示手段と、前記楽譜情報パレットの中の一部の楽譜情報をお気に入りパレットに表示するお気に入りパレット表示手段と、前記楽譜情報パレット及び／又は前記お気に入りパレットの楽譜情報を用いて、五線上に楽譜情報を入力する楽譜情報入力手段とを有することを特徴とする。
【０００７】
また、本発明のプログラムは、複数の楽譜情報を楽譜情報パレットに表示する楽譜情報パレット表示ステップと、前記楽譜情報パレットの中の一部の楽譜情報をお気に入りパレットに表示するお気に入りパレット表示ステップと、前記楽譜情報パレット及び／又は前記お気に入りパレットの楽譜情報を用いて、五線上に楽譜情報を入力する楽譜情報入力ステップとをコンピュータに実行させるためのプログラムである。
【発明の効果】
【０００８】
使用頻度の高い楽譜情報をお気に入りパレットに登録することにより、効率よく楽譜情報を入力することができる。
【図面の簡単な説明】
【０００９】
【図１】図１は、楽譜情報入力装置を実現するためのコンピュータのハードウエア構成例を示す図である。
【図２】図２は、表示装置に表示される画面の例を示す図である。
【図３】図３は、楽譜情報パレットの例を示す図である。
【図４】図４は、お気に入りパレットに楽譜情報を登録する方法を説明するための図である。
【図５】図５は、お気に入りパレットから楽譜情報を削除する方法を説明するための図である。
【図６】図６は、お気に入りパレットの楽譜情報を変更する方法を説明するための図である。
【図７】図７は、楽譜情報パレットの例を示す図である。
【図８】図８は、楽譜情報入力装置の構成例を示す図である。
【発明を実施するための形態】
【００１０】
図８は、本発明の実施形態による楽譜情報入力装置８００の構成例を示す図である。楽譜情報入力装置８００は、表示手段８０１、楽譜情報編集手段８０２、楽譜情報入力手段８０３及び演奏手段８０４を有する。表示手段８０１は、楽譜情報パレット表示手段８０５、お気に入りパレット表示手段８０６及び楽譜表示手段８０７を有する。楽譜情報編集手段８０２は、楽譜情報登録手段８０８、楽譜情報削除手段８０９及び楽譜情報変更手段８１０を有する。
【００１１】
図１は、楽譜情報入力装置８００を実現するためのコンピュータのハードウエア構成例を示す図である。バス１０１には、中央処理装置（ＣＰＵ）１０２、ＲＯＭ１０３、ＲＡＭ１０４、ネットワークインタフェース１０５、入力装置１０６、出力装置１０７及び外部記憶装置１０８が接続されている。ＣＰＵ１０２は、データの処理又は演算を行うと共に、バス１０１を介して接続された各種構成要素を制御するものである。ＲＯＭ１０３には、予めＣＰＵ１０２の制御手順（コンピュータプログラム）を記憶させておき、このコンピュータプログラムをＣＰＵ１０２が実行することにより、起動する。外部記憶装置１０８にコンピュータプログラムが記憶されており、そのコンピュータプログラムがＲＡＭ１０４にコピーされ、ＣＰＵ１０２により実行される。ＲＡＭ１０４は、データの入出力、送受信のためのワークメモリ、各構成要素の制御のための一時記憶として用いられる。外部記憶装置１０８は、例えばハードディスク記憶装置やＣＤ−ＲＯＭ等であり、電源を切っても記憶内容が消えない。ＣＰＵ１０２は、ＲＡＭ１０４内のコンピュータプログラムを実行することにより、楽譜情報入力装置８００の処理を行う。ネットワークインタフェース１０５は、インターネット等のネットワークに接続するためのインタフェースである。入力装置１０６は、例えばキーボード及びマウス等であり、各種指定又は入力等を行うことができる。出力装置１０７は、表示装置、スピーカ及びプリンタ等である。
【００１２】
本実施形態は、コンピュータがプログラムを実行することによって実現することができる。また、上記のプログラムを記録したコンピュータ読み取り可能な記録媒体及び上記のプログラム等のコンピュータプログラムプロダクトも本発明の実施形態として適用することができる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００１３】
図２は、出力装置（表示装置）１０７に表示される画面の例を示す図である。ＣＰＵ１０２がコンピュータプログラムを実行することにより、図２の画面が出力装置（表示装置）１０７に表示される。図２の画面では、楽譜作成エリア２０１、お気に入りパレット２０２及び楽譜情報タブ２０３〜２０７が表示される。楽譜作成エリア２０１には、五線が表示されている。タブ２０３は音符記号タブであり、タブ２０４は発想標語タブであり、タブ２０５はテキストタブであり、タブ２０６は図形画像タブであり、タブ２０７は注釈タブである。ユーザが入力装置１０６のマウスを用いて、音符記号タブ２０３をクリックすると、図３の画面が出力装置（表示装置）１０７に表示される。
【００１４】
図３は、楽譜情報パレット３０１の例を示す図である。上記のように、ユーザが入力装置１０６のマウスを用いて、音符記号タブ２０３をクリックすると、楽譜情報パレット表示手段８０５は、複数の音符記号を楽譜情報パレット３０１に表示する。同様に、ユーザが発想標語タブ２０４、テキストタブ２０５、図形画像タブ２０６又は注釈タブ２０７をマウスでクリックすると、楽譜情報パレット表示手段８０５は、それぞれの楽譜情報を楽譜情報パレット３０１に表示する。以上のように、楽譜情報パレット表示手段８０５は、複数の楽譜情報を楽譜情報パレット３０１に表示する。ユーザは、楽譜情報パレット３０１の中の所望の楽譜情報をマウスで選択し、その後、図２の楽譜作成エリア２０１の所望の位置をマウスで指定することにより、楽譜表示手段８０７は、上記の所望の楽譜情報を上記の楽譜作成エリア２０１の所望の位置に表示する。これにより、ユーザは、楽譜情報を入力し、楽譜を作成することができる。
【００１５】
ここで、音符記号の種類が多いため、すべての音符記号が楽譜情報パレット３０１に表示されていない。所望の音符記号が楽譜情報パレット３０１に表示されていない場合、ユーザは、スクロールボタン３０２をマウスでクリックすることにより、他の音符記号を楽譜情報パレット３０１に表示させることができる。スクロールボタン３０２を用いて、所望の音符記号を楽譜情報パレット３０１に表示させた後、所望の音符記号を選択することにより、所望の楽譜情報を入力することができる。しかし、この場合、ユーザは、スクロールボタン３０２を操作する必要があるため、作業効率が悪くなる。また、音符記号以外の楽譜情報を入力したい場合には、他の楽譜情報タブ２０４〜２０７をマウスでクリックする必要があるため、この場合も、作業効率が悪くなる。
【００１６】
そこで、本実施形態では、図２のお気に入りパレット２０２を設ける。お気に入りパレット表示手段８０６は、楽譜情報タブ２０３〜２０７の楽譜情報パレット３０１の中の一部の楽譜情報をお気に入りパレット２０２に表示する。ユーザは、使用頻度の高い楽譜情報をお気に入りパレット２０２に登録することにより、効率よく楽譜情報を入力することができる。ユーザは、お気に入りパレット２０２の中から所望の楽譜情報をマウスで選択し、その後、楽譜作成エリア２０１の所望の位置をマウスで指定することにより、楽譜表示手段８０７は、上記の所望の楽譜情報を上記の楽譜作成エリア２０１の所望の位置に表示する。これにより、ユーザは、楽譜情報を入力し、楽譜を作成することができる。お気に入りパレット２０２の中にない楽譜情報を入力する場合には、楽譜情報タブ２０３〜２０７をマウスでクリックし、図３の楽譜情報パレット３０１を表示させることにより、全種類の楽譜情報を入力することが可能である。お気に入りパレット２０２には、使用頻度の高い楽譜情報のみが表示されるため、楽譜情報を入力する際には、スクロールボタン３０２又は楽譜情報タブ２０３〜２０７を用いる回数が激減し、作業効率を高めることができる。
【００１７】
上記のユーザの操作により、楽譜情報入力手段８０３は、楽譜情報パレット３０１及び／又はお気に入りパレット２０２の楽譜情報を用いて、楽譜作成エリア２０１の五線上に楽譜情報を入力し、楽譜情報を生成する。また、ユーザが図２の演奏ボタン２０８をマウスでクリックすると、演奏手段８０４は、楽譜情報入力手段８０３により入力された楽譜情報を基に演奏を行い、出力装置（スピーカ）１０７から楽音を発音させる。
【００１８】
図４は、お気に入りパレット２０２に楽譜情報を登録する方法を説明するための図である。ユーザは、お気に入りパレット２０２内の追加ボタン４０１をマウスでクリックすると、楽譜情報パレット４０２が表示される。なお、楽譜情報パレット４０２に表示される楽譜情報は、図３の楽譜情報パレット３０１に表示される楽譜情報と同じである。また、ユーザは、音符記号タブ４０３、発想標語タブ４０４、テキストタブ４０５、図形画像タブ４０６又は注釈タブ４０７をマウスでクリックすることにより、楽譜情報パレット４０２に表示させる楽譜情報の種類を変えることができる。次に、ユーザは、楽譜情報パレット４０２内の所望の楽譜情報をマウスでクリックすると、その所望の楽譜情報がお気に入りパレット２０２に登録され表示される。以上のように、楽譜情報登録手段８０８は、楽譜情報パレット４０２の中から楽譜情報を選択し、選択した楽譜情報をお気に入りパレット２０２に登録する。ユーザは、使用頻度の高い楽譜情報をお気に入りパレット２０２に登録することにより、効率よく楽譜情報を入力することができる。なお、既に登録されている楽譜情報は、その旨を表示し、二重登録できないようになっている。
【００１９】
図５は、お気に入りパレット２０２から楽譜情報を削除する方法を説明するための図である。ユーザが、お気に入りパレット２０２内の所望の楽譜情報５０１にマウスのポインタを移動させ、マウスの右ボタンをクリックすると、ウィンドウ５０２が表示される。ユーザは、ウィンドウ５０２内の「削除」ボタンをマウスでクリックすると、楽譜情報５０１がお気に入りパレット２０２から削除される。また、ユーザは、ウィンドウ５０２内の「パレットをリセット」ボタンをマウスでクリックすると、お気に入りパレット２０２内のすべての楽譜情報が初期状態にリセットされる。また、ユーザが所望の楽譜情報５０１をお気に入りパレット２０２の外のエリアにマウスでドロップすると、楽譜情報５０１がお気に入りパレット２０２から削除される。以上のように、楽譜情報削除手段８０９は、お気に入りパレット２０２の中から楽譜情報を選択し、選択した楽譜情報をお気に入りパレット２０２から削除する。これにより、ユーザは、使用頻度が低い楽譜情報をお気に入りパレット２０２から削除することができる。
【００２０】
図６は、お気に入りパレット２０２の楽譜情報を変更する方法を説明するための図である。ユーザがお気に入りパレット２０２内の所望の楽譜情報６０１にマウスのポインタを移動させると、楽譜情報６０１の右下隅に三角ボタン６０２が表示される。次に、ユーザが三角ボタン６０２をマウスでクリックすると、図７の画面が表示される。
【００２１】
図７は、楽譜情報パレット４０２の例を示す図である。上記のように、ユーザが図６の三角ボタン６０２をマウスでクリックすると、楽譜情報パレット４０２が表示される。なお、楽譜情報パレット４０２に表示される楽譜情報は、図３の楽譜情報パレット３０１に表示される楽譜情報と同じである。また、ユーザは、音符記号タブ４０３、発想標語タブ４０４、テキストタブ４０５、図形画像タブ４０６又は注釈タブ４０７をマウスでクリックすることにより、楽譜情報パレット４０２に表示させる楽譜情報の種類を変えることができる。次に、ユーザは、楽譜情報パレット４０２内の所望の楽譜情報をマウスでクリックすると、お気に入りパレット４０２内の楽譜情報６０１が上記の所望の楽譜情報に変更され表示される。以上のように、楽譜情報変更手段８１０は、お気に入りパレット２０２の中から選択した楽譜情報を、楽譜情報パレット４０２の中から選択した楽譜情報に変更する。ユーザは、お気に入りパレット２０２内の使用頻度の低い楽譜情報を使用頻度の高い楽譜情報に変更することができる。なお、変更後の楽譜情報が既に登録されている楽譜情報である場合には、その旨を表示し、既に登録されている楽譜情報には変更できないようになっている。
【００２２】
また、楽譜情報編集手段８０２は、お気に入りパレット２０２内の楽譜情報をマウスでドラッグアンドドロップすることにより、お気に入りパレット２０２内の楽譜情報の順番を変えることができる。また、楽譜情報編集手段８０２は、複数の楽譜情報を選択して、複数の楽譜情報を登録、削除又は移動させることができる。また、楽譜情報編集手段８０２は、楽譜作成エリア２０１（図２）に表示されている楽譜情報を選択し、その選択した楽譜情報をお気に入りパレット２０２に登録することができる。また、楽譜情報編集手段８０２は、ユーザの指示により、お気に入りパレット２０２内の楽譜情報を種類毎にソートすることができる。
【００２３】
なお、上記では、コンピュータがプログラムを実行することにより、楽譜情報入力装置８００を構成する場合を例に説明したが、これに限定されない。楽譜情報入力装置８００のすべて又は一部をハードウエアにより構成するようにしてもよい。
【００２４】
以上のように、本実施形態によれば、使用頻度の高い楽譜情報をお気に入りパレット２０２に登録することにより、効率よく楽譜情報を入力することができる。
【００２５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００２６】
１０１  バス
１０２  ＣＰＵ
１０３  ＲＯＭ
１０４  ＲＡＭ
１０５  ネットワークインタフェース
１０６  入力装置
１０７  出力装置
１０８  外部記憶装置
８００  楽譜情報入力装置
８０１  表示手段
８０２  楽譜情報編集手段
８０３  楽譜情報入力手段
８０４  演奏手段
８０５  楽譜情報パレット表示手段
８０６  お気に入りパレット表示手段
８０７  楽譜表示手段
８０８  楽譜情報登録手段
８０９  楽譜情報削除手段
８１０  楽譜情報変更手段
【図１】
2014056041.tif 000003
【図２】
2014056041.tif 000004
【図３】
2014056041.tif 000005
【図４】
2014056041.tif 000006
【図５】
2014056041.tif 000007
【図６】
2014056041.tif 000008
【図７】
2014056041.tif 000009
【図８】
2014056041.tif 000010